(57)【特許請求の範囲】
【請求項１】
下部に加熱対象物の出し入れをするための開口部を有する加熱容器と、
この加熱容器の温風の出口に温風を供給する加熱手段と、
前記加熱容器の下方に昇降自在に設けた作業台とを有し、
前記作業台の上には、加熱対象物を吊り下げる棒が設けられ、
前記作業台には、その上昇時に、前記加熱容器の温風の出口と連結する温風入口と、
この温風入口から入った温風を上方に吹出す温風吹出口を設け、
前記温風入口に供給された温風が前記作業台の前記温風吹出口から上向きに吹出し前記加熱容器の上部から回収され前記加熱手段により加熱され前記温風の出口に供給されることを特徴とする加熱装置。
【請求項２】
加熱手段は、作業台の下降時には、温風の供給能力を低下させる構成とした請求項１記載の加熱装置。
【発明の詳細な説明】
【技術分野】
【０００１】
本発明は、熱エネルギーの利用効率の高い加熱装置に関する。
【背景技術】
【０００２】
塗装された半製品などの加熱対象物を乾かすなどの目的で、加熱対象物を加熱する場合には、内部が加熱された空気で満たされた加熱容器の中に、加熱対象物を入れることが行われる（例えば、類似するものとして、特許文献１参照）。
【特許文献１】特開平１０−２２５６５７号公報
【発明の開示】
【発明が解決しようとする課題】
【０００３】
しかし、加熱対象物を出し入れする毎に、加熱炉内の加熱された空気が加熱炉外に漏れるため、加熱炉外に漏れた熱エネルギーを加熱炉内に供給しなければならないという課題がある。
【０００４】
本発明は、上述した課題に鑑みてなされたものであり、エネルギー効率の良い加熱装置を提供することを目的とする。
【課題を解決するための手段】
【０００５】
上記の目的を達成するために本発明の加熱装置は、下部に加熱対象物の出し入れをするための開口部を有する加熱容器と、この加熱容器の温風の出口に温風を供給する加熱手段と、前記加熱容器の下方に昇降自在に設けた作業台とを有し、前記作業台の上には、加熱対象物を吊り下げる棒が設けられ、前記作業台には、その上昇時に、前記加熱容器の温風の出口と連結する温風入口と、この温風入口から入った温風を上方に吹出す温風吹出口を設け、前記温風入口に供給された温風が前記作業台の前記温風吹出口から上向きに吹出し前記加熱容器の上部から回収され前記加熱手段により加熱され前記温風の出口に供給されることを特徴とする。
【０００６】
このような加熱装置を用いることにより、熱エネルギーの利用効率を改善することができる。
【発明の効果】
【０００７】
本発明の加熱装置によれば、加熱容器内の空気は、加熱容器外の空気よりも密度が小さいため、加熱容器の下方にある開口部から下に下がることがない。
【０００８】
すなわち、加熱容器に加熱対象物の出し入れに毎に、加熱容器の内部の熱エネルギーが加熱容器外に出ることを抑制することができる。
【０００９】
そのため、熱エネルギーの利用効率の良い加熱容器を実現することが可能となる。
【発明を実施するための最良の形態】
【００１０】
（実施の形態）
図１と図２は、本発明の実施の形態の断面図である。
【００１１】
図１は作業台１が下に下がった状態を表している。
【００１２】
作業台１の上には、加熱対象物２を取り付けるための棒３が設けられている。
【００１３】
すなわち、加熱対象物２は紐４で棒３に吊り下げられている。
【００１４】
加熱対象物２の吊り下げが終わった後に、油圧シリンダー５を伸ばすと、作業台１が上昇する。
【００１５】
油圧シリンダー５はリミッター（図示せず）を具備しているため、作業台１の上昇は、加熱容器６の下部の開口部６ａの位置で止まる。
【００１６】
作業台１が上昇した結果、図２に示すように、作業台１が、加熱容器６の下部の開口部６ａを塞いで上昇が止まる。
【００１７】
作業台１が上記の位置に止まった後に、加熱手段７内のガスバーナ７ａで加熱された空気が送風機７ｂによって、加熱容器６の温風の出口８に供給される。
【００１８】
温風の出口８と作業台１の温風入口９とが連結した状態となっているため、温風の出口８から温風入口９へ温風が供給される。
【００１９】
作業台１上部は空気を通過させるための温風吹出口であるフィルター１０からなり、その下は空洞となっているため、温風入口９に供給された温風がフィルター１０から上向きに吹出す。
【００２０】
フィルター１０から吹出した温風は加熱容器６内を移動し、加熱対象物２を加熱する。
【００２１】
加熱容器６内の加熱対象物２から蒸発した蒸発物を含んだ空気は管１１を通じて加熱手段７へ送られる。
【００２２】
加熱容器６から管１１を通じて回収された空気の一部は加熱手段７の排気口１２から排出され、残りの空気は、加熱手段７の吸気口１３から取り込まれた空気と混合されて、ガスバーナ７ａで加熱され、再び加熱容器６の温風の出口８に供給される。
【００２３】
このように、管１１を通じて回収された空気を再び加熱して利用することにより、管１１を通じて回収された空気の熱エネルギーを利用することができる。
【００２４】
また、このように、空気の一部を入れ替えることにより、ガスバーナ７ａに酸素を供給し、温風の湿度が上がり、加熱対象物２の乾燥の効率が下がることを防止している。
【００２５】
加熱対象物２の加熱が完了すると、油圧シリンダー５を縮め、作業台１を下降させる。
【００２６】
そして、作業台１を下降させ始めると、図示しないスイッチが入り、インバータ制御により送風機７ｂの送風量を１００％から２０％に減少させる。
【００２７】
作業台１が所定の位置まで下がると、油圧シリンダー５に具備されたリミッターにより、油圧シリンダー５の動きと作業台１の下降が止まる。
【００２８】
作業台１が所定の位置まで下がることにより、加熱対象物２の出し入れが可能となる。
【００２９】
以上のように、加熱容器６から加熱対象物２を取り出したり、入れたりするために、作業台１を下に移動させて、加熱容器６の開口部６ａが開いた状態でも、加熱容器６内の温められた空気は外部の空気に比べて軽いため、加熱容器６の開口部６ａから下に下がることがなく、加熱容器６内の熱エネルギーが減ることを防止できる。
【００３０】
また、送風機７ｂの送風量を２０％に減少させることにより、加熱容器６の温風の出口８から出る温風の吹出す速度が遅くなる。
【００３１】
そのため、加熱容器６の温風の出口８から出る温風は直進することはなく、上向きに移動する。
【００３２】
従って、この温風は加熱容器６の開口部６ａから加熱容器６の中に入り込み加熱容器６内を加熱し続けることとなる。
【００３３】
すなわち、加熱された空気が加熱容器６の外部に漏れて、熱エネルギーが減ることを防止する効果をさらに高めている。
【００３４】
従って、従来よりも加熱容器６内に供給する熱エネルギーを減らすことができ、熱エネルギーの利用効率の良い加熱装置を実現することができる。
【００３５】
なお、加熱容器６の開口部６ａに外周または作業台１の外周にパッキンを設けて、作業台１が上昇した状態で加熱容器６の開口部６ａと作業台１の外周の間に隙間ができないようにしてもよい。
【００３６】
このようにすることにより、さらに、加熱された空気が加熱容器６から漏れることを防止する効果が高まる。
【００３７】
また、加熱手段は上記の実施の形態での加熱手段７に限られず、ボイラーで発生させた温風を、ブロワーで、加熱容器６の温風の出口８へ供給するものであってもよい。
【産業上の利用可能性】
【００３８】
本発明の加熱装置は、熱エネルギーの利用効率の良い、加熱に利用可能である。
【図面の簡単な説明】
【００３９】
【図１】本発明の実施の形態の加熱装置の断面図
【図２】本発明の実施の形態の加熱装置の断面図
【符号の説明】
【００４０】
１    作業台
２    加熱対象物
３    棒
４    紐
５    油圧シリンダー
６    加熱容器
６ａ    開口部
７    加熱手段
７ａ    ガスバーナ
７ｂ    送風機
８    温風の出口
９    温風入口
１０    フィルター（温風吹出口）
１１    管
１２    排気口
１３    吸気口
【図１】
0005303992.tif 000002
【図２】
0005303992.tif 000003